(57)【要約】【課題】記録ヘッドに向けて光を良好に偏向できる光学素子、および、この光学素子を有する光ヘッドおよび光アシスト磁気記録装置、並びに、この光学素子の角度調整方法を提供することを目的とする。【解決手段】第１光学素子２１は、主として、反射鏡２１ａ、２１ｄと、を有している。反射鏡２１ａは、光アシスト部５１と対向するように設けられており、第１偏向面２１ｃを有している。第１偏向面２１ｃは、入射した光Ｌｉを第１スライダ部３１側に偏向させる。反射鏡２１ｄは、第１スライダ部３１から見て反射鏡２１ａより遠方側に設けられており、第２偏向面２１ｅを有している。第２偏向面２１ｅは、第１光学素子２１の取付状態の調整時において取付角検出部８０から照射される光８５を偏向させることができる。これにより、取付角検出部８０の配置場所が、第２偏向面２１ｅと対向する位置に容易に確保できる。【選択図】図４
2011086341.tif 000002
【特許請求の範囲】
【請求項１】
光照射しつつ磁気情報を書き換えるスライダの付近に配置される光学素子であって、
(a) 入射した光を前記スライダ側に偏向させる第１偏向面と、
(b) 前記スライダの付近に配置される場合、前記第１偏向面を挟んで前記スライダと逆側に設けられ、取付状態の調整時に照射される光を偏向させる第２偏向面と、
を備えることを特徴とする光学素子。
【請求項２】
請求項１に記載の光学素子において、
前記第１偏向面は、回折格子面であることを特徴とする光学素子。
【請求項３】
請求項１または請求項２に記載の光学素子において、
前記第１偏向面は、集光機能を有することを特徴とする光学素子。
【請求項４】
請求項３に記載の光学素子において、
前記第１偏向面は、略凹曲面であることを特徴とする光学素子。
【請求項５】
請求項１ないし請求項４のいずれかに記載の光学素子において、
前記第２偏向面は、集光機能を有することを特徴とする光学素子。
【請求項６】
請求項５に記載の光学素子において、
前記第２偏向面は、略凹曲面であることを特徴とする光学素子。
【請求項７】
(a)  請求項１ないし請求項６のいずれかに記載の光学素子と、
(b)  前記光学素子に基づいた光を前記記録媒体の微小領域に照射しつつ、前記微小領域に対応する磁気情報を書き換えるスライダと、
を備えることを特徴とする光ヘッド。
【請求項８】
請求項７に記載の光ヘッドを用いた光アシスト磁気記録装置。
【請求項９】
請求項１ないし請求項６のいずれかに記載の光学素子の角度調整方法であって、
(a) 前記第２偏向面に光を照射する工程と、
(b) 前記第２偏向面で偏向された光の検出結果に基づいて、前記光学素子の取付状態を調整する工程と、
を備えることを特徴とする光学素子の角度調整方法。
【発明の詳細な説明】
【技術分野】
【０００１】
本発明は、記録ヘッドに向けて光を偏向する光学素子、この光学素子を用いた角度調整方法、この光学素子を有する光ヘッド、およびこの光ヘッドを有し、熱アシスト方式により記録媒体に磁気情報を記録する光アシスト磁気記録装置に関する。
【背景技術】
【０００２】
従来より、光放射による熱アシスト方式の磁気情報記録技術が知られている（例えば、特許文献１および２）。特許文献１および２の磁気情報記録技術において、記録ヘッドには、集光機能付きプラナー導波路が設けられている。このプラナー導波路に導入される光は、グレーティングカプラにより結合される。そして、プラナー導波路の下端には、非伝搬光であり、かつ、微小スポットの近接場が形成される。
【０００３】
また、その両主面に凹凸（第１および第２の凹凸）が設けられた回折光学素子も、従来より知られている（例えば、特許文献３）。
【先行技術文献】
【特許文献】
【０００４】
【特許文献１】特開２００５−１１６１５５号公報
【特許文献２】米国特許第７３４５８４０号明細書
【特許文献３】特開２００４−１４５０６４号公報
【発明の概要】
【発明が解決しようとする課題】
【０００５】
ここで、プラナー導波路のグレーティングカプラに光を結合させるとともに、結合された光をプラナー導波路の延伸方向に効率良く伝搬させるためには、グレーティングカプラに入射する光の入射角の精度を０．１（ｄｅｇ）以内にする必要がある。
【０００６】
グレーティングカプラに結合される光の入射角精度を向上させる手法の１つとして、各光学素子の取付精度を向上させる手法が考えられる。例えば、グレーティングカプラに向けて光を反射させる反射鏡について、この反射鏡の反射面と、所定の基準面と、のなす角度が所望の範囲内となるように、反射鏡の取付状態を調整する。これにより、グレーティングカプラへの入射角精度を向上させることができ、グレーティングカプラに結合される光の結合効率を向上させることができる。
【０００７】
しかしながら、特許文献１ないし３のいずれにも、どのような手法により光学素子の取付状態を調整するかと言うことについては、何ら具体的に記載されていない。
【０００８】
そこで、本発明では、記録ヘッドに向けて光を良好に偏向できる光学素子、および、この光学素子を有する光ヘッドおよび光アシスト磁気記録装置、並びに、この光学素子の角度調整方法を提供することを目的とする。
【課題を解決するための手段】
【０００９】
上記の課題を解決するため、請求項１の発明は、光照射しつつ磁気情報を書き換えるスライダの付近に配置される光学素子であって、入射した光を前記スライダ側に偏向させる第１偏向面と、前記スライダの付近に配置される場合、前記第１偏向面を挟んで前記スライダと逆側に設けられ、取付状態の調整時に照射される光を偏向させる第２偏向面とを備えることを特徴とする。
【００１０】
また、請求項２の発明は、請求項１に記載の光学素子において、前記第１偏向面は、回折格子面であることを特徴とする。
【００１１】
また、請求項３の発明は、請求項１または請求項２に記載の光学素子において、前記第１偏向面は、集光機能を有することを特徴とする。
【００１２】
また、請求項４の発明は、請求項３に記載の光学素子において、前記第１偏向面は、略凹曲面であることを特徴とする。
【００１３】
また、請求項５の発明は、請求項１ないし請求項４のいずれかに記載の光学素子において、前記第２偏向面は、集光機能を有することを特徴とする。
【００１４】
また、請求項６の発明は、請求項５に記載の光学素子において、前記第２偏向面は、略凹曲面であることを特徴とする。
【００１５】
また、請求項７の発明は、請求項１ないし請求項６のいずれかに記載の光学素子と、前記光学素子に基づいた光を前記記録媒体の微小領域に照射しつつ、前記微小領域に対応する磁気情報を書き換えるスライダとを備えることを特徴とする。
【００１６】
また、請求項８の発明は、請求項７に記載の光ヘッドを用いた光アシスト磁気記録装置。
【００１７】
また、請求項９の発明は、請求項１ないし請求項６のいずれかに記載の光学素子の角度調整方法であって、(a)前記第２偏向面に光を照射する工程と、(b)前記第２偏向面で偏向された光の検出結果に基づいて、前記光学素子の取付状態を調整する工程とを備えることを特徴とする。
【発明の効果】
【００１８】
請求項１ないし請求項９に記載の発明において、光学素子がスライダ付近に配置されると、光学素子の取付状態の調整時に使用される光は、スライダから見て遠方側の第２偏向面に照射されることになる。
【００１９】
これにより、第２偏向面で偏向された光は、第１偏向面で偏向された光と異なり、スライダに阻まれることなく伝播する。すなわち、第２偏向面で偏向された光の光路が、光学素子付近に十分に確保され、第２偏向面で偏向された光を容易に検出することができる。
【００２０】
そのため、第２偏向面で偏向された光に基づいて、光学素子の取付状態を容易に調整することができる。その結果、第１偏向面における偏向方向の精度をさらに向上させることができ、スライダに入射する光の入射角の精度をさらに向上させることができる。
【００２１】
特に、請求項２に記載の発明によれば、第１偏向面は回折格子面とされている。そのため、第１偏向面に入射する光の波長が変動すると、その波長変動に応じ、第１偏向面で偏向する光の偏向方向が調整される。
【００２２】
特に、請求項３に記載の発明によれば、開口数を増大させることができ、スライダ側に導入される単位面積当たりの光量を増大させることができる。
【００２３】
すなわち、第１偏向面で偏向された光は、グレーティングカプラへの光結合に適した光に変換される。
【００２４】
特に、請求項４に記載の発明によれば、略凹曲面という簡便な構成によって、第１偏向面に集光機能を持たせることができる。
【００２５】
特に、請求項５に記載の発明によれば、第２偏向面で偏向された光について、単位面積当たりの集光量を向上させることができる。そのため、第２偏向面で偏向された光による計測感度およびＳＮ比を向上させることができる。
【００２６】
特に、請求項６に記載の発明によれば、略凹曲面という簡便な構成によって、第２偏向面に集光機能を持たせることができる。
【図面の簡単な説明】
【００２７】
【図１】本発明の第１ないし第１０の実施の形態における情報記録装置の構成の一例を模式的に示す斜視図である。
【図２】アーム機構の構成の一例を示す平面図である。
【図３】図２のＶ−Ｖ線から見た側面断面図である。
【図４】第１の実施の形態における第１導光ユニットの構成の一例を示す側面図である。
【図５】光アシスト部の構成の一例を示す正面図である。
【図６】光導波路の詳細な構成を説明するための図である。
【図７】取付角とカプラ入射角との関係を説明するための側面図である。
【図８】取付角と照射角との関係を説明するための側面図である。
【図９】第２の実施の形態における第１導光ユニットの構成の一例を示す側面図である。
【図１０】第１光学素子の回折格子で回折する回折光を説明するための側面図である。
【図１１】第３の実施の形態における第１光学素子の構成の一例を示す側面図である。
【図１２】第４の実施の形態における第１光学素子の構成の一例を示す側面図である。
【図１３】第５の実施の形態における第１導光ユニットの構成の一例を示す側面図である。
【図１４】第６の実施の形態における第１導光ユニットの構成の一例を示す側面図である。
【図１５】第７の実施の形態における第１導光ユニットの構成の一例を示す側面図である。
【図１６】第８の実施の形態における第１導光ユニットの構成の一例を示す側面図である。
【図１７】第９の実施の形態における第１導光ユニットの構成の一例を示す側面図である。
【図１８】第１０の実施の形態における第１光学素子の構成の一例を示す側面図である。
【発明を実施するための形態】
【００２８】
以下、図面を参照しつつ本発明の実施の形態について詳細に説明する。
【００２９】
＜１．第１の実施の形態＞
＜１．１．情報記録装置の構成＞
図１は、本実施の形態における情報記録装置１の構成の一例を模式的に示す斜視図である。情報記録装置１は、熱アシスト方式によって、第１ないし第３記録用ディスク２ａ〜２ｃ（記録媒体）に磁気情報を記録する磁気情報記録装置であり、いわゆるハードディスクドライブとして使用することができる。また、情報記録装置１の記録媒体としては、高保磁力媒体が用いられている。
【００３０】
ここで、高保磁力媒体に記録されている磁気情報が書き換えられる場合、情報記録装置１は、高保磁力媒体の記録面に対して局所的に光を照射し、局所的に熱エネルギーを付与する。これにより、熱エネルギーが付与された領域（書換領域）の温度が上昇し、書換領域における磁気情報の保磁力が小さくなる。そのため、記録媒体として高保磁力媒体が使用される場合であっても、磁気情報の書き換えを容易に実行することができる。
【００３１】
そして、光放射に基づく熱エネルギーが付与された書換領域の温度は、その後急速に下降する。そのため、記録面の保磁力は元の高保磁力状態に戻る。そのため、書き換えられた磁気情報は、高保磁力媒体の記録面上に、安定して保存されることになる。
【００３２】
図１に示すように、情報記録装置１は、主として、筐体１ａと、第１ないし第３記録用ディスク２ａ〜２ｃと、アーム機構１０と、を有している。なお、図１および以降の各図には、それらの方向関係を明確にすべく必要に応じて適宜、Ｚ軸方向を鉛直方向とし、ＸＹ平面を水平面とするＸＹＺ直交座標系が付されている。
【００３３】
筐体１ａは、略直方体状の箱体である。筐体１ａの内側空間には、第１ないし第３記録用ディスク２ａ〜２ｃと、アーム機構１０と、が密閉して収納されている。
【００３４】
第１ないし３記録用ディスク２ａ〜２ｃは、略円盤状の記録媒体であり、高保磁力媒体により構成されている。図１に示すように、第１ないし３記録用ディスク２ａ〜２ｃは、上側から下側（Ｚ軸マイナス方向）に向かって、この順番に設けられている。また、図１に示すように、隣接する記録用ディスク２ａ〜２ｃは、相互に所定の微小距離（例えば、１ｍｍ以下）だけ離隔するように、かつ、第１ないし第５記録面３ａ〜３ｅが略平行となるように、配置されている。さらに、第１ないし３記録用ディスク２ａ〜２ｃは、Ｚ軸と略平行な回転軸４を中心として、回転方向ｍＢに回転可能とされている。
【００３５】
アーム機構１０は、第１ないし第３記録用ディスク２ａ〜２ｃに対して、第１ないし第５光学素子２１〜２５と、第１ないし第５スライダ部３１〜３５と、をトラッキング方向ｍＡに移動させる移動機構である。
【００３６】
これにより、第１ないし第５スライダ部３１〜３５が、対応する第１ないし第５記録面３ａ〜３ｅに対して移動させられる。そのため、回転する第１ないし第３記録用ディスク２ａ〜２ｃの所望位置の磁気情報が読み出され、または、第１ないし第３記録用ディスク２ａ〜２ｃの所望位置の磁気情報が書き換えられる。
【００３７】
なお、アーム機構１０の詳細な構成については、後述する。また、記録用ディスクの枚数や記録面の数（対応するスライダ部の個数）は、変更することが可能であり、本実施の形態の数に限られるものではない。
【００３８】
＜１．２．アーム機構の構成＞
図２は、本実施の形態におけるアーム機構１０の構成の一例を示す平面図である。図３は、図２のＶ−Ｖ線から見た側面断面図である。図１ないし図３に示すように、アーム機構１０は、主として、揺動軸５と、アクチュエータ６と、複数の（本実施の形態では３つの）アーム部４１〜４３と、を有している。
【００３９】
第１ないし第３アーム部４１〜４３は、それぞれ同様な形状を有する片持ち梁状の部材である。図３に示すように、各アーム部４１〜４３は、揺動軸５に固定されるとともに、揺動軸５側から第１ないし第３記録用ディスク２ａ〜２ｃ側に延びる。
【００４０】
また、図３に示すように、第１ないし第３アーム部４１〜４３は、上側から下側に向かって、この順番に設けられている。そして、第１および第２アーム部４２の間に第１記録用ディスク２ａが、第２および第３アーム部４３の間に第２記録用ディスク２ｂが、それぞれ挟まれている。また、第３アーム部４３の下方に第３記録用ディスク２ｃが配置されている。
【００４１】
さらに、第１ないし第３アーム部４１〜４３は、揺動軸５を介して、アクチュエータ６と連動連結されている。したがって、アクチュエータ６が駆動すると、各アーム部４１〜４３は、Ｚ軸と略平行な揺動軸５を中心に揺動する。
【００４２】
第１アーム部４１は、一方向に延伸するとともに、その延伸方向ＡＲ１における一端４５付近に設けられた揺動軸５を中心に揺動可能とされている。図３に示すように、第１アーム部４１は、主として、アーム本体部４１ａと、サスペンション部４１ｂと、を有している。
【００４３】
アーム本体部４１ａは、第１アーム部４１の一端４５側（固定端側）に設けられており、揺動軸５に固定されている。アーム本体部４１ａは、サスペンション部４１ｂと比較して、高さ方向のサイズ（厚み）が大きく、かつ、剛性が高い材料で形成されている。
【００４４】
サスペンション部４１ｂは、可撓性を有する材料で形成されている。図３に示すように、サスペンション部４１ｂは、第１アーム部４１の他端４６側（自由端側）に設けられており、アーム本体部４１ａの下側に固定されている。
【００４５】
第１光源ＬＳ１は、熱アシストのために第１記録面３ａ（第１記録用ディスク２ａの上面）に照射される光を供給する。図３に示すように、第１光源ＬＳ１は、アーム本体部４１ａの下面側に取り付けられている。そして、第１光源ＬＳ１から出射された光は、光ファイバＦＢを介して第１スライダ部３１の上部まで導かれる。
【００４６】
ここで、第１光源ＬＳ１から出射される光Ｌｉとしては、紫外〜可視光〜近赤外〜赤外の範囲で任意である。通信波長帯で実績のある１．５５μｍ帯や１．３１μｍ帯の光が用いられても良い。また、光ディスクで実績のある７８０μｍ帯または４０５μｍ帯の半導体レーザや、８３０μｍ帯の半導体レーザが用いられても良い。
【００４７】
特に、可視光帯のレーザは、安価であり、量産性に優れている。また、光導波路６０のコア層６０ｂ（図６参照）のサイズを小さく設定することができるため、装置全体を小型化することができる。また、光源から照射される光の波長が、より短波長とされると、第１スライダ部３１から出射される光のスポット径がさらに絞られ、第１記録用ディスク２ａの微小領域が良好に加熱される。
【００４８】
なお、本実施の形態において、第１光源ＬＳ１としてファブリ・ペロー型レーザ・ダイオード（波長：１．５５μｍ）が使用されている。このレーザ・ダイオードは、安価な反面、第１光源ＬＳ１の周囲温度の変化によりレーザ光の波長が変化するという特性を有している。
【００４９】
また、本実施の形態において、光ファイバＦＢとしては、例えば長距離光通信で用いられるシングルモード光ファイバが採用されており、コアを形成するための材料としてはＧｅをドープしたＳｉＯ2が、クラッドを形成するための材料としてはＳｉＯ2が、それぞれ使用されている。さらに、光ファイバＦＢに代えてポリマ導波路が用いられても良い。
【００５０】
第１光学素子２１は、第１光源ＬＳ１から出射された光Ｌｉを第１スライダ部３１側に折り返す。図３に示すように、第１光学素子２１は、第１スライダ部３１付近に配置されるとともに、第１アーム部４１の下側他端４６付近に固定されている。
【００５１】
第１スライダ部３１は、図３に示すように、サスペンション部４１ｂから第１記録面３ａ側に突出するヘッド部である。第１スライダ部３１は、第１アーム部４１（サスペンション部４１ｂ）の下側他端４６付近に、バネ部材３１ａを介して取り付けられている。第１スライダ部３１は、第１記録面３ａから磁気情報を読み出す処理、および第１記録面３ａに光照射しつつ磁気情報を書き換える処理を実行する。
【００５２】
また、図３に示すように、第１光学素子２１で折り返された光Ｌ１は、第１スライダ部３１を介して第１記録面３ａに照射される。このように、第１光学素子２１および第１スライダ部３１は、第１光源ＬＳ１から出射された光を第１記録面３ａに導く第１導光ユニット１１（光ヘッド）として使用される。
【００５３】
また、第１スライダ部３１について、第１記録面３ａと対向する面（すなわち、第１スライダ部３１の下面）の形状は、いわゆる浮上面形状（ＡＢＳ：Air Bearing Surface）とされている。さらに、第１記録用ディスク２ａが回転せず静止状態の場合において、第１スライダ部３１は、第１記録面３ａと接触している。
【００５４】
なお、第１記録用ディスク２ａが回転せず静止状態となる場合に、第１スライダ部３１を持ち上げて第１記録用ディスク２ａの外側に退避させる機構を設けても良い。こうすることで、第１スライダ部３１が第１記録用ディスク２ａと接触することを避けることができる。
【００５５】
したがって、回転軸４を中心に第１記録用ディスク２ａが回転すると、第１スライダ部３１は、第１記録面３ａから微小距離だけ浮上する。そのため、第１スライダ部３１は、第１記録面３ａと接触することなく、磁気情報の読み出し、および書き換えを実行することができる。
【００５６】
第２アーム部４２は、第１アーム部４１と同様に、一方向に延伸するとともに、その延伸方向ＡＲ１における一端４５付近に設けられた揺動軸５を中心に揺動可能とされている。図３に示すように、第２アーム部４２は、主として、アーム本体部４２ａと、上部サスペンション部４２ｂと、下部サスペンション部４２ｃと、を有している。
【００５７】
アーム本体部４２ａは、アーム本体部４１ａと同様な材料で形成され、同様な形状を有している。図３に示すように、アーム本体部４２ａは、第２アーム部４２の一端４５側を構成しており、揺動軸５に固定されている。
【００５８】
上部および下部サスペンション部４２ｂ、４２ｃは、サスペンション部４１ｂと同様に、可撓性を有する材料で形成されており、第２アーム部４２の他端４６側を構成している。また、図３に示すように、上部サスペンション部４２ｂはアーム本体部４２ａの上側に、下部サスペンション部４２ｃはアーム本体部４２ａの下側に、それぞれ固定されている。
【００５９】
第２光源ＬＳ２は、第１光源ＬＳ１と同様なハードウェア構成を有しており、熱アシストのために第２記録面３ｂ（第１記録用ディスク２ａの下面）に照射される光を供給する。図３に示すように、第２光源ＬＳ２は、アーム本体部４２ａの上面側に取り付けられている。そして、第２光源ＬＳ２から出射された光は、光ファイバを介して第２スライダ部３２の上部まで導かれる。
【００６０】
第２光学素子２２は、第１光学素子２１と同様なハードウェア構成を有しており、第２光源ＬＳ２から出射された光を第２スライダ部３２側に折り返す。図３に示すように、第２光学素子２２は、第２スライダ部３２付近に配置されるとともに、上部サスペンション部４２ｂの上側他端４６付近に固定されている。
【００６１】
第２スライダ部３２は、第１スライダ部３１と同様なハードウェア構成を有しており、図３に示すように、上部サスペンション部４２ｂから第２記録面３ｂ側に突出するヘッド部である。第２スライダ部３２は、第２アーム部４２（上部サスペンション部４２ｂ）の上側他端４６付近に、バネ部材３２ａを介して取り付けられている。第２スライダ部３２は、第２記録面３ｂから磁気情報を読み出す処理、および第２記録面３ｂに光照射しつつ磁気情報を書き換える処理を実行する。
【００６２】
また、図３に示すように、第２光学素子２２で折り返された光は、第２スライダ部３２を介して第２記録面３ｂに照射される。このように、第２光学素子２２および第２スライダ部３２は、第２光源ＬＳ２から出射された光を第１記録用ディスク２ａの第２記録面３ｂに導く第２導光ユニット１２（光ヘッド）として使用される。
【００６３】
また、第２スライダ部３２について、第２記録面３ｂと対向する面（すなわち、第２スライダ部３２の上面）の形状は、いわゆる浮上面形状となっている。また、第１記録用ディスク２ａが回転せず静止状態の場合において、第２スライダ部３２は、第２記録面３ｂと接触している。
【００６４】
したがって、回転軸４を中心に第１記録用ディスク２ａが回転すると、第２スライダ部３２は、第２記録面３ｂから微小距離だけ下降して離隔する。そのため、第２スライダ部３２は、第２記録面３ｂと接触することなく、磁気情報の読み出し、および書き換えを実行することができる。
【００６５】
第３光源ＬＳ３は、第１光源ＬＳ１と同様なハードウェア構成を有しており、熱アシストのために第３記録面３ｃ（第２記録用ディスク２ｂの上面）に照射される光を供給する。図３に示すように、第３光源ＬＳ３は、アーム本体部４２ａの下面側に取り付けられている。そして、第３光源ＬＳ３から出射された光は、光ファイバを介して第３スライダ部３３の上部まで導かれる。
【００６６】
第３光学素子２３は、第１光学素子２１と同様なハードウェア構成を有しており、第３光源ＬＳ３から出射された光を第３スライダ部３３側に折り返す。図３に示すように、第３光学素子２３は、第３スライダ部３３付近に配置されるとともに、下部サスペンション部４２ｃの下側他端４６付近に固定されている。
【００６７】
第３スライダ部３３は、第１スライダ部３１と同様なハードウェア構成を有しており、図３に示すように、下部サスペンション部４２ｃから第３記録面３ｃ側に突出するヘッド部である。第３スライダ部３３は、第２アーム部４２（下部サスペンション部４２ｃ）の下側他端４６付近に、バネ部材３３ａを介して取り付けられている。第３スライダ部３３は、第３記録面３ｃから磁気情報を読み出す処理、および第３記録面３ｃに光照射しつつ磁気情報を書き換える処理を実行する。
【００６８】
また、図３に示すように、第３光学素子２３で折り返された光は、第３スライダ部３３を介して第３記録面３ｃに照射される。このように、第３光学素子２３および第３スライダ部３３は、第３光源ＬＳ３から出射された光を第２記録用ディスク２ｂの第３記録面３ｃに導く第３導光ユニット１３（光ヘッド）として使用される。
【００６９】
また、第３スライダ部３３について、第３記録面３ｃと対向する面（すなわち、第３スライダ部３３の下面）の形状は、いわゆる浮上面形状となっている。また、第２記録用ディスク２ｂが回転せず静止状態の場合において、第３スライダ部３３は、第３記録面３ｃと接触している。
【００７０】
したがって、回転軸４を中心に第２記録用ディスク２ｂが回転すると、第３スライダ部３３は、第３記録面３ｃから微小距離だけ浮上する。そのため、第２スライダ部３２は、第２記録面３ｂと接触することなく、磁気情報の読み出し、および書き換えを実行することができる。
【００７１】
第３アーム部４３は、第１アーム部４１と同様に、一方向に延伸するとともに、その延伸方向ＡＲ１における一端４５付近に設けられた揺動軸５を中心に揺動可能とされている。図３に示すように、第３アーム部４３は、主として、アーム本体部４３ａと、上部サスペンション部４３ｂと、下部サスペンション部４３ｃと、を有している。
【００７２】
アーム本体部４３ａは、アーム本体部４１ａと同様な材料で形成され、同様な形状を有している。図３に示すように、アーム本体部４３ａは、第３アーム部４３の一端４５側を構成しており、揺動軸５に固定されている。
【００７３】
上部および下部サスペンション部４３ｂ、４３ｃは、サスペンション部４１ｂと同様に、可撓性を有する材料で形成されており、第３アーム部４３の他端４６側を構成している。また、図３に示すように、上部サスペンション部４３ｂはアーム本体部４３ａの上側に、下部サスペンション部４３ｃはアーム本体部４３ａの下側に、それぞれ固定されている。
【００７４】
第４光源ＬＳ４は、第１光源ＬＳ１と同様なハードウェア構成を有しており、熱アシストのために第４記録面３ｄ（第２記録用ディスク２ｂの下面）に照射される光を供給する。図３に示すように、第４光源ＬＳ４は、アーム本体部４３ａの上面側に取り付けられている。そして、第４光源ＬＳ４から出射された光は、光ファイバを介して第４スライダ部３４の上部まで導かれる。
【００７５】
第４光学素子２４は、第１光学素子２１と同様なハードウェア構成を有しており、第４光源ＬＳ４から出射された光を第４スライダ部３４側に折り返す。図３に示すように、第４光学素子２４は、第４スライダ部３４付近に配置されるとともに、上部サスペンション部４３ｂの上側他端４６付近に固定されている。
【００７６】
第４スライダ部３４は、第１スライダ部３１と同様なハードウェア構成を有しており、図３に示すように、上部サスペンション部４３ｂから第４記録面３ｄ側に突出するヘッド部である。第４スライダ部３４は、第３アーム部４３（上部サスペンション部４３ｂ）の上側他端４６付近に、バネ部材３４ａを介して取り付けられている。第４スライダ部３４は、第４記録面３ｄから磁気情報を読み出す処理、および第４記録面３ｄに光照射しつつ磁気情報を書き換える処理を実行する。
【００７７】
また、図３に示すように、第４光学素子２４で折り返された光は、第４スライダ部３４を介して第４記録面３ｄに照射される。このように、第４光学素子２４および第４スライダ部３４は、第４光源ＬＳ４から出射された光を第２記録用ディスク２ｂの第４記録面３ｄに導く第４導光ユニット１４（光ヘッド）として使用される。
【００７８】
また、第４スライダ部３４について、第４記録面３ｄと対向する面（すなわち、第４スライダ部３４の上面）の形状は、いわゆる浮上面形状となっている。また、第２記録用ディスク２ｂが回転せず静止状態の場合において、第４スライダ部３４は、第４記録面３ｄと接触している。
【００７９】
したがって、回転軸４を中心に第２記録用ディスク２ｂが回転すると、第４スライダ部３４は、第４記録面３ｄから微小距離だけ下降して離隔する。そのため、第４スライダ部３４は、第４記録面３ｄと接触することなく、磁気情報の読み出し、および書き換えを実行することができる。
【００８０】
第５光源ＬＳ５は、第１光源ＬＳ１と同様なハードウェア構成を有しており、熱アシストのために第５記録面３ｅ（第３記録用ディスク２ｃの上面）に照射される光を供給する。図３に示すように、第５光源ＬＳ５は、アーム本体部４３ａの下面側に取り付けられている。そして、第５光源ＬＳ５から出射された光は、光ファイバを介して第５スライダ部３５の上部まで導かれる。
【００８１】
第５光学素子２５は、第１光学素子２１と同様なハードウェア構成を有しており、第５光源ＬＳ５から出射された光を第５スライダ部３５側に折り返す。図３に示すように、第５光学素子２５は、第５スライダ部３５付近に配置されるとともに、下部サスペンション部４３ｃの下側他端４６付近に固定されている。
【００８２】
第５スライダ部３５は、第１スライダ部３１と同様なハードウェア構成を有しており、図３に示すように、下部サスペンション部４３ｃから第５記録面３ｅ側に突出するヘッド部である。第５スライダ部３５は、第３アーム部４３（下部サスペンション部４３ｃ）の下側他端４６付近に、バネ部材３５ａを介して取り付けられている。第５スライダ部３５は、第５記録面３ｅから磁気情報を読み出す処理、および第５記録面３ｅに光照射しつつ磁気情報を書き換える処理を実行する。
【００８３】
また、図３に示すように、第５光学素子２５で折り返された光は、第５スライダ部３５を介して第５記録面３ｅに照射される。このように、第５光学素子２５および第５スライダ部３５は、第５光源ＬＳ５から出射された光を第３記録用ディスク２ｃの第５記録面３ｅに導く第５導光ユニット１５（光ヘッド）として使用される。
【００８４】
また、第５スライダ部３５について、第５記録面３ｅと対向する面（すなわち、第５スライダ部３５の下面）の形状は、いわゆる浮上面形状となっている。また、第３記録用ディスク２ｃが回転せず静止状態の場合において、第５スライダ部３５は、第５記録面３ｅと接触している。
【００８５】
したがって、回転軸４を中心に第３記録用ディスク２ｃが回転すると、第５スライダ部３５は、第５記録面３ｅから微小距離だけ浮上する。そのため、第５スライダ部３５は、第５記録面３ｅと接触することなく、磁気情報の読み出し、および書き換えを実行することができる。
【００８６】
＜１．３．導光ユニットの構成＞
図４は、本実施の形態における第１導光ユニット１１の構成の一例を示す側面図である。図５は、光アシスト部５１の構成の一例を示す正面図である。図６は、光導波路６０の詳細な構成を説明するための側面図である。図４に示すように、第１導光ユニット１１は、主として、第１光学素子２１と、第１スライダ部３１と、を有している。
【００８７】
なお、上述のように、第２ないし第５導光ユニット１２〜１５に含まれている第２ないし第５光学素子２２〜２５のそれぞれは、第１導光ユニット１１の第１光学素子２１と、同様なハードウェア構成を有している。また、第２ないし第５導光ユニット１２〜１５に含まれている第２ないし第５スライダ部３２〜３５のそれぞれは、第１導光ユニット１１の第１スライダ部３１と、同様なハードウェア構成を有している。
【００８８】
そこで、以下では、第１導光ユニット１１の第１光学素子２１および第１スライダ部３１についてのみ説明する。
【００８９】
第１光学素子２１は、第１光源ＬＳ１から出射された光を反射鏡２１ａにて反射させる（偏向する）。図３および図４に示すように、第１光学素子２１は、第１スライダ部３１を挟んで第１光源ＬＳ１と逆側に設けられており、主として、反射鏡２１ａ、２１ｄと、本体部２１ｂと、を有している。
【００９０】
本体部２１ｂは、図４に示すように、側面視略平行四辺形状とされたブロック体である。これにより、反射鏡２１ａの第１偏向面２１ｃと、反射鏡２１ｄの第２偏向面２１ｅとは、略平行となる。
【００９１】
ここで、第１光学素子２１は、空気と接する第１および第２偏向面２１ｃ、２１ｅで光Ｌｉ、８５を偏向させている。そのため、第１光学素子２１の本体部２１ｂは、良好な反射性を有する金属によって、形成されても良い。また、本実施の形態の「側面視」とは、ＹＺ平面をＸ軸負方向に見た場合を言うものとする。
【００９２】
反射鏡２１ａは、図４に示すように、光アシスト部５１と対向するように設けられる平面鏡である。図４に示すように、反射鏡２１ａは、略平面状の第１偏向面２１ｃ（ハッチング部分）を有している。
【００９３】
第１偏向面２１ｃは、本体部２１ｂの側面のうち、第１スライダ部３１と対向する面に設けられた鏡面である。したがって、第１偏向面２１ｃは、入射した光Ｌｉを第１スライダ部３１側に偏向させる。なお、角度θｂは、第１偏向面２１ｃと、第１光学素子２１の上面（すなわち、第１光学素子２１の外周面のうち、サスペンション部４１ｂの下面と対向する面）と、のなす角を表している。
【００９４】
反射鏡２１ｄは、第１スライダ部３１から見て、反射鏡２１ａより遠方側に設けられる平面鏡である。図４に示すように、反射鏡２１ｄは、略平面状の第２偏向面２１ｅ（ハッチング部分）を有している。
【００９５】
第２偏向面２１ｅは、本体部２１ｂの側面のうち、第１スライダ部３１から見て最も遠方側の側面に設けられた鏡面である。図４に示すように、第１光学素子２１が第１スライダ部３１付近に配置される場合、第２偏向面２１ｅは、第１偏向面２１ｃを挟んで第１スライダ部３１と逆側に設けられることになる。したがって、第２偏向面２１ｅは、第１光学素子２１の取付状態の調整時において取付角検出部８０から照射される光８５を偏向させる。
【００９６】
なお、図４に示すように、第１光学素子２１および第１スライダ部３１は、第１記録用ディスク２ａの同一記録面３ａと対向するように、第１アーム部４１のサスペンション部４１ｂに取り付けられている。すなわち、第１アーム部４１を挟んで第１記録用ディスク２ａと逆側の空間に第１光学素子２１を配置する必要がない。そのため、第１アーム部４１付近の省スペース化を実現できる。
【００９７】
また、第１光学素子２１をサスペンション部４１ｂの下側他端４６付近に固定する手法としては、ＵＶ硬化型接着剤および熱硬化型接着剤等の樹脂製接着剤を使用する方法、メタルボンディングなどが採用できる。また、サスペンション部４１ｂおよび第１光学素子２１の間から漏れた接着剤が第１および第２偏向面２１ｃ、２１ｅに悪影響を及ぼすことを防止するため、接着剤は、目的とする波長に対して透明な光学用接着剤が望ましい。
【００９８】
第１スライダ部３１（ヘッド部）は、対向する第１記録面３ａ上に光を照射する照射ヘッドとしての機能と、対向する第１記録面３ａ上に記録されている磁気情報を読み書きする磁気ヘッドとしての機能と、を有している。
【００９９】
図４に示すように、第１スライダ部３１は、主として、光アシスト部５１と、磁気記録部５２と、磁気再生部５３と、を有している。また、図３および図４に示すように、磁気再生部５３、光アシスト部５１、磁気記録部５２、および第１光学素子２１は、第１アーム部４１の一端４５から他端４６に向かい、配置方向ｍＣに沿って、この順番に設けられている。
【０１００】
光アシスト部５１は、第１記録面３ａに対して局所的に熱エネルギーを付与するために、第１光学素子２１の反射鏡２１ａで折り返された光Ｌ１を第１記録面３ａ上の所望の位置に照射する。図５に示すように、光アシスト部５１は、光導波路６０を有している。
【０１０１】
光導波路６０は、特許文献１で開示されている導波路型ソリッド・イマージョン・ミラー（ＰＳＩＭ：Planar Solid Immersion Mirror）と同様な構成を有している。光導波路６０は、主として、グレーティングカプラ６８を有しており、第１光源ＬＳ１から出射され、グレーティングカプラ６８を介して入射する光Ｌ１を伝送する。図４および図５に示すように、光導波路６０は、基板５０の側面のうち、第１光学素子２１の反射鏡２１ａと対向する面に設けられている。
【０１０２】
また、光導波路６０は、図６に示すように、下部クラッド層６０ｃ、コア層６０ｂ、上部クラッド層６０ａを、配置方向ｍＣに沿って、この順番に積層させたものである。コア層６０ｂは、各クラッド層６０ａ、６０ｃ（例えば、ＳｉＯ2で形成）よりも屈折率の高い素材（例えば、Ｔａ2Ｏ5）で形成されている。これにより、光導波路６０に導かれた光は、コア層６０ｂと、クラッド層６０ａ、６０ｃとの間で全反射する。
【０１０３】
また、Ｙ軸方向における光導波路６０のサイズ（厚さ）は小さく（薄く）、光導波路６０の内面７０、７２は、放物線状とされている。さらに、Ｘ軸方向における光導波路６０のサイズ（光導波路６０の幅）は、グレーティングカプラ６８から出射端６２に向かって、徐々に狭まり、鉛直断面における光導波路６０の形状は、テーパ状とされている。
【０１０４】
したがって、光導波路６０に導入され、伝送される光６４は、内面７０、７２で全反射され、出射端６２に近付くに従って集光される。そして、出射端６２からは近接場光が出射される。そのため、第１記録用ディスク２ａの第１記録面３ａに微小光スポットが形成され、第１記録面３ａ上の微小領域が加熱される。
【０１０５】
グレーティングカプラ６８は、側面視略矩形状の断面をもつ回折格子である。グレーティングカプラ６８は、光結合器としての機能を有しており、第１光学素子２１の回折格子２１ａで折り返された回折光Ｌ１を光導波路６０内に導く。
【０１０６】
図５に示すように、グレーティングカプラ６８は、光導波路６０の上部側面に設けられている。また、図６に示すように、グレーティングカプラ６８は、コア層６０ｂと同様の素材により形成されており、上部クラッド層６０ａ側に突出する複数の突出部として形成されている。
【０１０７】
なお、一般的に、光導波路６０に用いられる誘電体材料としては、以下のものが挙げられる。また、各材料（元素記号）の後ろのカッコ内に記載された数字は、対応する材料の屈折率を示す。
【０１０８】
第１光源ＬＳ１から出射される光Ｌｉ（波長が１．５５μｍ（または１．３１μｍ）の通信波長帯）において、コア層６０ｂの材料（以下、単に、「コア材料」と称する）としてはＳｉ（３．４８）が、上部およびクラッド層６０ａ、６０ｃの材料（以下、単に、「クラッド材料」と称する）としてはＳｉＯｘ（１．４〜３．４８）またはＡｌ2Ｏ3（１．８）等が、それぞれ使用できる。そして、比屈折率差Δの値は、０．００１≦Δ≦０．４２の範囲で設計することができる。
【０１０９】
また、波長４００ｎｍ〜８００ｎｍの可視域において、コア材料としてはＧａＡｓ（３．３）またはＳｉ（３．７）等が、クラッド材料としてはＴａ2Ｏ5（２．５）またはＳｉＯｘ（１．４〜３．７）等が、それぞれ使用できる。そして、比屈折率差Δの値は、０．００１≦Δ≦０．４１の範囲で設計することができる。
【０１１０】
その他のコア材料に使用できる高屈折率材料（波長域）の例としては、ダイヤモンド（可視全域）；ＩＩＩ−Ｖ族半導体：ＡｌＧａＡｓ（近赤外、赤）、ＧａＮ（緑、青）、ＧａＡｓＰ（赤、橙、青）、ＧａＰ（赤、黄、緑）、ＩｎＧａＮ（青緑、青）、ＡｌＧａＩｎＰ（橙、黄橙、黄、緑）；ＩＩ−ＶＩ族半導体：ＺｎＳｅ（青）が挙げられる。
【０１１１】
またその他のクラッド材料に使用できる低屈折率薄層材料としては、炭化シリコン（ＳｉＣ）、弗化カルシウム（ＣａＦ）、チッ化シリコン（Ｓｉ3Ｎ4）、酸化チタン（ＴｉＯ2）、ダイアモンド（Ｃ）などが例示できる。
【０１１２】
さらに、ここに示した材料に限られず、例えばＴｉＯ2、ＳｉＮ、ＺｎＳなど複数の材料を組み合わせたり、フォトニック結晶構造をとることで、ある程度自由にΔを設計することができる。
【０１１３】
磁気記録部５２は、磁気記録素子（図示省略）を有しており、第１記録面３ａの各部分のうち、光アシスト部５１の光導波路６０から照射された光が到達する部分について、磁気情報を書き換える。磁気再生部５３は、磁気再生素子（図示省略）を有しており、第１記録面３ａに記録されている磁気情報を読み取る。
【０１１４】
取付角検出部８０は、第１光学素子２１の固定時において、第１および第２偏向面２１ｃ、２１ｅの取付角θ１を検出する姿勢検出要素である。図４に示すように、取付角検出部８０は、主として、光源８１と、光検出部８２と、を有している。
【０１１５】
光源８１は、反射鏡２１ｄに向けて光８５を照射する。光検出部８２は、光源８１から出射され、反射鏡２１ｄの第２偏向面２１ｅで反射された光８６に基づいて、第１光学素子２１の取付状態を判定する。
【０１１６】
本実施の形態において、光検出部８２は、例えば、１次元または２次元のイメージセンサ（図示省略）を有している。そして、光検出部８２は、第２偏向面２１ｅで反射された光８６がイメージセンサ上で結像する実測位置と、第１光学素子２１が正しく固定されている場合にイメージセンサ上で結像する理想位置と、のズレ量を検出する。
【０１１７】
このズレ量（検出結果）が許容範囲内となる場合には、光検出部８２は、第１光学素子２１が正しく固定されていると判定する。一方、このズレ量が許容範囲外となる場合には、光検出部８２は、第１光学素子２１が正しく固定されていないと判定する。そして、正しく固定されていないと判定された場合、情報記録装置１の作業者は、さらに第１光学素子２１の取付状態の調整を行うことになる。
【０１１８】
＜１．４．光学素子の取付角の調整方法＞
図７は、第１光学素子２１の取付角θ１と、グレーティングカプラ６８に入射する光Ｌ１のカプラ入射角θ２と、の関係を説明するための側面図である。図８は、第１光学素子２１の取付角θ１と、第２偏向面２１ｅに入射する光８５の照射角θ３と、の関係を説明するための側面図である。
【０１１９】
ここで、光導波路６０のグレーティングカプラ６８に光Ｌ１を効率良く結合させるとともに、結合された光Ｌ１を出射端６２に向けて効率良く伝搬させるためには、グレーティングカプラ６８に入射する光Ｌ１のカプラ入射角θ２（図７参照）の精度を０．１（ｄｅｇ）以内にする必要がある。
【０１２０】
すなわち、光Ｌ１の結合高率を考慮すると、グレーティングカプラ６８の周期（グレーティングカプラ６８の突出部の間隔（格子間隔））ｄａ（図６参照）は、±２次または±３次程度の回折光が発生するように設定される（具体的に言うと、グレーティングカプラ６８の周期ｄａは、光Ｌｉの波長の０．５〜５倍程度とされる）必要がある。そのため、カプラ入射角θ２の波長依存性を考慮すると、カプラ入射角θ２の許容誤差は、０．１（ｄｅｇ）以内にする必要がある。
【０１２１】
カプラ入射角θ２の精度を向上させる手法の１つとして、例えば、第１光学素子２１の固定時に第１光学素子２１の取付状態（より具体的には、第１偏向面２１ｃの取付角θ１：図７参照）を測定する方法が考えられる。
【０１２２】
しかし、第１光学素子２１の周囲には、第１記録用ディスク２ａ、第１スライダ部３１、およびサスペンション部４１ｂが近接して配置されている。その結果、第１偏向面２１ｃで反射された光に基づいて第１偏向面２１ｃの取付角θ１を測定することは、非常に困難な作業となる。
【０１２３】
これに対して、本実施の形態の第１光学素子２１は、反射鏡２１ａに加えて反射鏡２１ｄを有している。また、上述のように、第１光学素子２１の本体部２１ｂの形状は、略平行四辺形状とされており、第１および第２偏向面２１ｃ、２１ｅは、互いに略平行となる。これにより、第１光学素子２１の取付状態は、第１スライダ部３１から見て第１偏向面２１ｃより遠方側に配置されている第２偏向面２１ｅを測定することによっても、把握される。
【０１２４】
また、第２偏向面２１ｅで偏向された光８６は、第１偏向面２１ｃで偏向された光Ｌ１と異なり、第１スライダ部３１に阻まれることなく伝搬する。すなわち、第２偏向面２１ｅで偏向された光８６の光路は、第１光学素子２１付近に良好に確保され、第２偏向面２１ｅで偏向された光８６を容易に検出することができる。
【０１２５】
そのため、本実施の形態では、取付角検出部８０の配置場所が第２偏向面２１ｅと対向する位置（すなわち、第２偏向面２１ｅからＹ軸正方向の位置）に容易に確保でき、第１光学素子２１の取付状態の判定が良好に実行できる。
【０１２６】
そこで、以下では、第２偏向面２１ｅで偏向された光が検出されることによって、第１光学素子２１の取付状態を測定できることを説明する。具体的には、
（１）取付角θ１およびカプラ入射角θ２の関係を示すとともに、第２偏向面２１ｅの取付角θ１が許容範囲内となるように調整することによって、カプラ入射角θ２を調整できることを説明し（図７参照）、続いて、
（２）取付角θ１、光源８１の照射角θ３、および第２偏向面２１ｅにおける入射角θ４（＝反射角θ５）の関係を示すとともに、照射角θ３および入射角θ４（または反射角θ５）から取付角θ１を演算できることを説明する（図８参照）。
【０１２７】
まず、取付角θ１およびカプラ入射角θ２の関係について、上述のように、第１および第２偏向面２１ｃ、２１ｅは、略平行とされている。したがって、光ファイバＦＢから反射鏡２１ａに向けて照射される光Ｌｉが、サスペンション部４１ｂの下面と略平行となる場合、式（１）が成立する。
【０１２８】
【数１】
2011086341.tif 000003
【０１２９】
また、式（１）の両辺を整理すると、式（２）が成立する。
【０１３０】
【数２】
2011086341.tif 000004
【０１３１】
ただし、式（１）および式（２）において、取付角θ１とは、サスペンション部４１ｂの下面と、第１および第２偏向面２１ｃ、２１ｅと、のなす角を言うものとする。また、カプラ入射角θ２とは、グレーティングカプラ６８が設けられた面の法線ＮＬ１と、グレーティングカプラ６８に入射する光Ｌ１と、のなす角を言うものとする。
【０１３２】
また、図７および図８において、入射角θｉとは、第１偏向面２１ｃの法線ＮＬ２と、光Ｌｉと、のなす角を言うものとする。また、反射角θｏとは、第１偏向面２１ｃの法線ＮＬ２と、光Ｌ１と、のなす角を言うものとする。さらに、入射角θｉおよび反射角θｏの値は、等しいものとする。
【０１３３】
式（２）に示すように、グレーティングカプラ６８に入射する光Ｌ１のカプラ入射角θ２は、第２偏向面２１ｅの取付角θ１を用いて演算することができる。
【０１３４】
次に、取付角θ１、光源８１の照射角θ３、および第２偏向面２１ｅにおける入射角θ４（または反射角θ５）の関係について、図８に示すよううに、式（３）が成立する。
【０１３５】
【数３】
2011086341.tif 000005
【０１３６】
また、式（３）の両辺を整理すると、式（４）が成立する。
【０１３７】
【数４】
2011086341.tif 000006
【０１３８】
ただし、式（３）および式（４）において、照射角θ３とは、サスペンション部４１ｂの下面と、光源８１から出射される光８５と、のなす角を言うものとする。また、入射角θ４とは、第２偏向面２１ｅの法線ＮＬ３と、光８５と、のなす角を言うものとする。また、反射角θ５とは、第２偏向面２１ｅの法線ＮＬ３と、光８６と、のなす角を言うものとする。さらに、入射角θｉおよび反射角θｏの値は、等しいものとする。
【０１３９】
そして、式（２）および式（４）から、式（５）が導かれる。
【０１４０】
【数５】
2011086341.tif 000007
【０１４１】
ここで、照射角θ３は、取付角検出部８０の光源８１と、サスペンション部４１ｂと、の位置関係により予め定まる値である。したがって、
（１）サスペンション部４１ｂに仮固定された第１光学素子２１について、第２偏向面２１ｅに入射する光８５の入射角θ４、または第２偏向面２１ｅで反射する光８６の反射角θ５を正確に求めるとともに、
（２）入射角θ４または反射角θ５が所望範囲内となるよう、サスペンション部４１ｂに対して第１光学素子２１の取付状態を調整することによって、グレーティングカプラ６８に入射する光Ｌ１のカプラ入射角θ２を許容範囲内（０．１（ｄｅｇ）以内）とすることができる。
【０１４２】
このように、本実施の形態では、第２偏向面２１ｅで偏向された光８６の検出結果に基づいて（具体的には、式（４）および式（５）における入射角θ４または反射角θ５が所望範囲内となり、その結果、ズレ量が許容範囲内となるか否かを判定することによって）、第１光学素子２１の取付状態が調整されることになる。
【０１４３】
これにより、サスペンション部４１ｂに仮固定されている第１光学素子２１の取付角θ１およびグレーティングカプラ６８に入射する光Ｌ１のカプラ入射角θ２が厳密に設定されることになる。
【０１４４】
そのため、取付角θ１およびカプラ入射角θ２が高精度に設定された後、サスペンション部４１ｂに対して仮固定された第１光学素子２１が樹脂製接着剤により完全に固定されることによって、第１光学素子２１は、サスペンション部４１ｂに対して精度良く取り付けられることになる。
【０１４５】
＜１．５．第１の実施の形態の情報記録装置の利点＞
以上のように、第１の実施の形態の情報記録装置１において、第１光学素子２１の取付状態は、光アシスト部５１と対向するように設けられた第１偏向面２１ｃで反射された光Ｌ１でなく、第１スライダ部３１から見て第１偏向面２１ｃより遠方側に設けられた第２偏向面２１ｅで反射された光８６に基づいて、判定される。
【０１４６】
これにより、第２偏向面２１ｅで偏向された光８６は、第１偏向面２１ｃで偏向された光Ｌ１と異なり、第１スライダ部３１に阻まれることなく伝搬する。すなわち、第２偏向面２１ｅで偏向された光８６の光路は、第１光学素子２１付近に良好に確保され、第２偏向面２１ｅで偏向された光８６は、第１偏向面２１ｃで偏向された光Ｌ１と異なり、容易に検出される。
【０１４７】
そのため、取付角検出部８０の配置場所が、第２偏向面２１ｅと対向する位置（すなわち、第２偏向面２１ｅからＹ軸正方向の位置）に容易に確保でき、第１光学素子２１の取付状態の判定が、良好に実行できる。
【０１４８】
＜２．第２の実施の形態＞
次に、本発明の第２の実施の形態について説明する。第２の実施の形態の情報記録装置１００は、第１ないし第５導光ユニット１１〜１５の第１ないし第５光学素子２１〜２５のそれぞれを、後述する第１光学素子１２１に置換した点を除いては、第１の実施の形態の情報記録装置１と同様である。そこで、以下では、この相違点を中心に説明する。
【０１４９】
なお、以下の説明において、第１の実施の形態の情報記録装置１における構成要素と同様な構成要素については同一符号を付している。これら同一符号の構成要素は、第１の実施の形態において説明済みであるため、本実施形態では説明を省略する。
【０１５０】
＜２．１．導光ユニットの構成＞
図９は、第２の実施の形態における第１導光ユニット１１１（光ヘッド）の構成の一例を示す側面図である。図９に示すように、第１導光ユニット１１１は、主として、第１スライダ部３１と、第１光学素子１２１と、を有している。
【０１５１】
第１光学素子１２１は、第１の実施の形態の第１光学素子２１と同様に、第１光源ＬＳ１から出射された光Ｌｉを第１スライダ部３１側に折り返す。図９に示すように、第１光学素子１２１は、第１スライダ部３１付近に配置されるとともに、サスペンション部４１ｂの下側他端４６付近に固定されている。図９に示すように、第１光学素子１２１は、主として、回折格子１２１ａと、本体部２１ｂと、反射鏡２１ｄと、を有している。
【０１５２】
回折格子１２１ａは、図９に示すように、光アシスト部５１と対向するように設けられるとともに、複数の略鋸歯状の溝を有している。この複数の溝は、本体部２１ｂと同様の材料により形成されている。これにより、各溝の表面（第１偏向面１２１ｃ：ハッチング部分）は、入射した光Ｌｉを第１スライダ部３１側に偏向（回折）させる。
【０１５３】
ここで、回折格子１２１ａは、次の手順によって作成されても良い。まず、本体部２１ｂの側面のうち、回折格子１２１ａを形成する面に、レジスト膜を塗布する。次に、光描画、電子線描画、またはＸ線描画等の手法によって、ＳＵＳ等の金属の上に塗布されたレジスト膜に潜像を形成する。続いて、潜像が形成されたレジスト膜を現像する。そして、現像後のレジスト膜に基づいて金属をエッチングすることによって、回折格子１２１ａの各溝を形成する。
【０１５４】
また、回折格子１２１ａの溝形状としては、略鋸歯状だけでなく、略正弦波状であってもよいし、矩形状（グレーティングカプラ６８（図６参照）と同様な形状）であってもよい。さらに、各溝における反射率を高めるために、各溝の表面には、アルミニウム(Ａｌ)や銀(Ａｇ)などの金属膜、または誘電体多層膜が形成されてもよい。
【０１５５】
ここで、光導波路６０のグレーティングカプラ６８に光Ｌ１を入射・結合させる場合において、温度変化等により第１光源ＬＳ１から出射される光Ｌｉの波長が変化すると、グレーティングカプラ６８におけるカプラ入射角θｃ（図６参照）が変化する。また、グレーティングカプラ６８におけるカプラ入射角θｃの許容誤差は、０．１（ｄｅｇ）程度であり、非常に厳しい。その結果、第１光源ＬＳ１から出射される光Ｌｉの波長変動が大きいと、カプラ入射角θｃが許容範囲外となり、グレーティングカプラ６８に対して光Ｌ１を良好に結合できないという問題が生ずる。
【０１５６】
これに対して、本実施の形態では、図３および図９に示すように、第１光源ＬＳ１、第１光学素子１２１、およびグレーティングカプラ６８が、光Ｌｉ、Ｌ１の進行方向に沿って、この順番に設けられている。また、適切な回折格子１２１ａを有する第１光学素子１２１が選択されると、第１光学素子１２１は、第１光源ＬＳ１から出射される光Ｌｉの波長変動に応じ、カプラ入射角θｃを適正な角度に変更することができる。
【０１５７】
このように、本実施の形態では、光Ｌｉが、回折格子１２１ａの第１偏向面１２１ｃによって第１スライダ部３１側に回折させられる。これにより、第１偏向面１２１ｃに入射する光Ｌｉの波長が変動すると、その波長変動に応じ、第１偏向面１２１ｃで偏向される光の偏向方向（回折角）が調整される。
【０１５８】
そのため、グレーティングカプラ６８に入射する光Ｌ１について、カプラ入射角θｃ（図６）の波長依存性が補償される。その結果、第１光源ＬＳ１から出射される光Ｌｉの出射角度が固定されているにも関わらず、カプラ入射角θｃを波長変動に応じた最適な角度に維持できる。すなわち、第１光学素子１２１は、第１光源ＬＳ１から出射される光Ｌｉの波長変動に応じて、光Ｌ１の進行方向を補償する素子として使用されている。
【０１５９】
＜２．２．第１偏向面での回折角とカプラ入射角との関係＞
図１０は、第１光学素子１２１の回折格子１２１ａで回折する光Ｌ１（回折光）を説明するための側面図である。ここで、適正なカプラ入射角θｃは、
（１）導波モード（光がコア層６０ｂとクラッド層６０ａ、６０ｃとの間で全反射しつつコア層６０ｂ内で伝わるモード）におけるコア層６０ｂの有効屈折率と、
（２）グレーティングカプラ６８の周期ｄａ（図６参照）と、
から定まる。
【０１６０】
また、適正なカプラ入射角θｃは、上述のように、グレーティングカプラ６８に入射する光Ｌ１の波長にも依存し、光Ｌ１の波長が変動すると、この変動に従って適正なカプラ入射角θｃも変化する。
【０１６１】
特に、本実施の形態のように、第１光源ＬＳ１としてファブリ・ペロー型レーザ・ダイオードが使用され、情報記録装置１００の使用温度帯が０〜６０（℃）とされる場合、第１光源ＬＳ１から出射される光Ｌｉの波長は、±１０ｎｍ程度変動する。その結果、適正なカプラ入射角θｃは、０．３度程度変動し、カプラ入射角θｃの変動は、許容誤差（±０．１度程度）を上回ることになる。
【０１６２】
これに対して、第１光学素子１２１の第１偏向面１２１ｃにおける回折角は、光Ｌ１の波長変動に応じて変化するカプラ入射角θ２の変化量を相殺するように変化する。すなわち、第１光学素子１２１は、カプラ入射角θｃの変化量を補償する補償素子として機能する。そのため、第１光源ＬＳ１から出射される光Ｌｉの波長が変動しても、グレーティングカプラ６８に入射する光Ｌ１は、光導波路６０に対してを良好に結合させられることになる。
【０１６３】
そこで、以下では、第１光学素子１２１の補償素子としての機能を説明するため、第１偏向面１２１ｃでの回折角αｃと、グレーティングカプラ６８へのカプラ入射角θｃと、の関係について検討する。
【０１６４】
まず、光Ｌ１の波長と、グレーティングカプラ６８におけるカプラ入射角と、の関係について説明する。光Ｌ１の波長が「λ」となる場合におけるカプラ入射角を「θｃ」、光Ｌ１の波長が「λ’」となる場合におけるカプラ入射角を「θｃ’」、とする。この場合において、波長λ、λ’の間に式（６）の関係が成立すると、カプラ入射角θｃ、θｃ’の間には式（７）の関係が成立する。
【０１６５】
【数６】
2011086341.tif 000008
【０１６６】
【数７】
2011086341.tif 000009
【０１６７】
次に、光Ｌ１の波長と、第１偏向面１２１ｃにおける回折角と、の関係について説明する。光Ｌ１の波長が「λ」となる場合における回折角を「αｃ」、光Ｌ１の波長が「λ’」となる場合における回折角を「αｃ’」、とすると、カプラ入射角αｃ、αｃ’の間には式（８）の関係が成立する。
【０１６８】
【数８】
2011086341.tif 000010
【０１６９】
式（６）および式（７）、並びに図６に示すように、第１光源ＬＳ１から出射される光Ｌｉの波長が増大するに従って、カプラ入射角は減少する。一方、式（６）および式（８）、並びに図１０に示すように、第１光源ＬＳ１から出射される光Ｌｉの波長が増大するに従って、回折角は増大する。
【０１７０】
これにより、第１偏向面１２１ｃとして回折格子面が用いられると、第１光源ＬＳ１の光Ｌｉの波長変動を打ち消すように、第１偏向面１２１ｃでの回折角αｃが変動する。そのため、第１光学素子１２１は、カプラ入射角θｃの変化量を補償する補償素子として機能する。
【０１７１】
＜２．３．第２の実施の形態の情報記録装置の利点＞
以上のように、第２の実施の形態の情報記録装置１００は、第１の実施の形態の情報記録装置１と同様に、第２偏向面２１ｅと対向する位置に取付角検出部８０の配置場所を容易に確保できる。そのため、第１光学素子１２１の取付状態の判定が、良好に実行できる。
【０１７２】
また、第２の実施の形態の情報記録装置１００において、光Ｌｉは、回折格子１２１ａの第１偏向面１２１ｃによって、第１スライダ部３１側に偏向させられる。これにより、第１偏向面１２１ｃに入射する光Ｌｉの波長が変動すると、その波長変動に応じ、第１偏向面１２１ｃで偏向される光の偏向方向が調整される。そのため、第１光源ＬＳ１から出射される光Ｌｉの出射角度が固定されているにも関わらず、カプラ入射角θｃを波長変動に応じた最適な角度に維持できる。
【０１７３】
＜３．第３の実施の形態＞
次に、本発明の第３の実施の形態について説明する。第３の実施の形態の情報記録装置２００は、第１ないし第５導光ユニット１１〜１５の第１ないし第５光学素子２１〜２５のそれぞれを、後述する第１光学素子２２１に置換した点を除いては、第１の実施の形態の情報記録装置１と同様である。そこで、以下では、この相違点を中心に説明する。
【０１７４】
なお、以下の説明において、第１の実施の形態の情報記録装置１における構成要素と同様な構成要素については同一符号を付している。これら同一符号の構成要素は、第１の実施の形態において説明済みであるため、本実施形態では説明を省略する。
【０１７５】
＜３．１．光学素子の構成＞
図１１は、第３の実施の形態における第１光学素子２２１の構成の一例を示す側面図である。第１光学素子２２１は、第１の実施の形態の第１光学素子２１と同様に、第１光源ＬＳ１から出射された光Ｌｉを第１スライダ部３１側に折り返す。図１１に示すように、第１光学素子２２１は、主として、反射鏡２１ａと、本体部２２１ｂと、反射鏡２２１ｄと、を有している。
【０１７６】
本体部２２１ｂは、図１１に示すように、その上面および下面が略平行とされた側面視略台形状のブロック体である。ここで、第１光学素子２２１は、空気と接する第１および第２偏向面２１ｃ、２２１ｅで光Ｌｉ、８５を偏向させている。そのため、第１光学素子２１の本体部２１ｂは、良好な反射性を有する金属によって、形成されても良い。
【０１７７】
反射鏡２２１ｄは、本体部２２１ｂの上面に設けられた平面鏡である。図１１に示すように、反射鏡２２１ｄは、第１スライダ部３１から見て反射鏡２１ａより遠方側に設けられており、略平面状の第２偏向面２２１ｅ（ハッチング部分）を有している。
【０１７８】
第２偏向面２２１ｅは、本体部２２１ｂの上面に設けられた鏡面である。図１１に示すように、第１光学素子２２１が第１スライダ部３１付近に配置される場合、第２偏向面２２１ｅは、第１偏向面２１ｃを挟んで第１スライダ部３１と逆側に設けられることになる。したがって、第２偏向面２２１ｅは、第１光学素子２２１の取付状態の調整時において取付角検出部２８０から照射される光２８５を偏向させることができる。
【０１７９】
取付角検出部２８０は、第１光学素子２２１の固定に際し、第２偏向面２２１ｅで偏向された光２８６の検出結果に基づいて第１光学素子２２１の取付状態を判定する。図１１に示すように、取付角検出部２８０は、主として、光源８１と、光検出部８２と、光照射部２８４と、を有している。
【０１８０】
光照射部２８４は、第２偏向面２２１ｅに向けて光２８５を照射するとともに、第２偏向面２２１ｅで反射された光２８６を受光する。図１１に示すように、光照射部２８４は、光ファイバ２８４ａおよびビームスプリッタ２８４ｂを介して、光源８１および光検出部８２と光学的に接続されている。
【０１８１】
ビームスプリッタ２８４ｂは、光の反射および透過によって、光路を分割する光学素子である。すなわち、ビームスプリッタ２８４ｂは、光源８１から出射された光２８５を透過させ、光照射部２８４に導く。また、ビームスプリッタ２８４ｂは、第２偏向面２２１ｅで偏向された光２８６を反射させ、光検出部８２に導く。
【０１８２】
なお、本実施の形態において、光照射部２８４から照射される光２８５の光軸は、サスペンション部４１ｂの下面に対して略垂直となるように設定されている。したがって、取付角検出部２８０は、光照射部２８４から照射された光２８５と、第２偏向面２２１ｅで反射された光２８６と、が略平行（すなわち、光２８５、２８６が略同軸）となり、その結果、光検出部８２で検出される光２８６の強さが最大となる場合、サスペンション部４１ｂの下面に対して第１光学素子２２１（より具体的には、本体部２２１ｂの上面）が正しく取り付けられている（仮固定されている）と判定する。
【０１８３】
＜３．２．第３の実施の形態の情報記録装置の利点＞
以上のように、第３の実施の形態の情報記録装置２００は、第２偏向面２２１ｅと対向する位置に取付角検出部２８０の配置場所を容易に確保できる。そのため、第１光学素子２２１の取付状態の判定が、良好に実行できる。
【０１８４】
また、第３の実施の形態の情報記録装置２００は、第２偏向面２２１ｅに照射される光２８５と、第２偏向面２２１ｅで偏向される光２８６と、が略同軸となるか否かという簡便な判断手法によって、第１光学素子２２１の取付状態の判定を実行している。そのため、取付状態の判定に関する計算コストをさらに低減させることができる。
【０１８５】
＜４．第４の実施の形態＞
次に、本発明の第４の実施の形態について説明する。第４の実施の形態の情報記録装置３００は、第１光学素子のハードウェア構成が相違する点を除いては、第３の実施の形態の情報記録装置２００と同様である。そこで、以下では、この相違点を中心に説明する。
【０１８６】
なお、以下の説明において、第３の実施の形態の情報記録装置２００における構成要素と同様な構成要素については同一符号を付している。これら同一符号の構成要素は、第３の実施の形態において説明済みであるため、本実施形態では説明を省略する。
【０１８７】
＜４．１．光学素子の構成＞
図１２は、第４の実施の形態における第１光学素子３２１の構成の一例を示す側面図である。第１光学素子３２１は、第３の実施の形態の第１光学素子２２１と同様に、第１光源ＬＳ１から出射された光Ｌｉを第１スライダ部３１側に折り返す。図１２に示すように、第１光学素子３２１は、主として、反射鏡２１ａと、本体部２２１ｂと、反射鏡３２１ｄと、を有している。
【０１８８】
反射鏡３２１ｄは、第１スライダ部３１から見て、反射鏡２１ａより遠方側に設けられる平面鏡である。図１２に示すように、反射鏡３２１ｄは、略平面状の第２偏向面３２１ｅ（ハッチング部分）を有している。
【０１８９】
第２偏向面３２１ｅは、第１光学素子３２１の側面のうち、第１スライダ部３１から見て最も遠方側の側面に設けられた鏡面である。図１２に示すように、第２偏向面３２１ｅと、本体部２２１ｂの上面と、は、互いに略垂直となるように配置されている。
【０１９０】
また、第１光学素子３２１が第１スライダ部３１付近に配置される場合、第２偏向面３２１ｅは、第１偏向面２１ｃを挟んで第１スライダ部３１と逆側に設けられることになる。したがって、第２偏向面３２１ｅは、第１光学素子３２１の取付状態の調整時において取付角検出部３８０から照射される光３８５を偏向させることができる。
【０１９１】
取付角検出部３８０は、第１光学素子３２１の固定に際し、第２偏向面３２１ｅで偏向された光３８６の検出結果に基づいて第１光学素子３２１の取付状態を判定する。図１２に示すように、取付角検出部３８０は、主として、光源８１と、光検出部８２と、光照射部３８４と、を有している。
【０１９２】
光照射部３８４は、第２偏向面３２１ｅに向けて光３８５を照射するとともに、第２偏向面３２１ｅで反射された光３８６を受光する。図１２に示すように、光照射部３８４は、光ファイバ２８４ａおよびビームスプリッタ２８４ｂを介して、光源８１および光検出部８２と光学的に接続されている。したがって、光源８１から照射された光３８５は、光照射部３８４に導かれ、第２偏向面３２１ｅで反射された光３８６は、光検出部８２に導かれる。
【０１９３】
なお、本実施の形態において、光照射部３８４から照射される光３８５の光軸は、サスペンション部４１ｂの下面に対して略平行となるように設定されている。また、上述のように、第２偏向面３２１ｅと、本体部２２１ｂの上面と、は、互いに略垂直となるように配置されている。
【０１９４】
したがって、取付角検出部３８０は、光照射部３８４から照射された光３８５と、第２偏向面３２１ｅで反射された光３８６と、が略平行（すなわち、光３８５、３８６が略同軸）となり、その結果、光検出部８２で検出される光３８６の強さが最大となる場合、サスペンション部４１ｂの下面に対して第１光学素子３２１（より具体的には、本体部２２１ｂの上面）が正しく取り付けられている（仮固定されている）と判定する。
【０１９５】
また、光検出部８２が第１記録用ディスク２ａの第１記録面３ａ付近に配置されることを考慮して、光検出部８２の光学系としては、ＧＲＩＮ（Grated Index）レンズなどの薄型光学系が用いられてもよいし、薄型プリズムが用いられてもよい。
【０１９６】
＜４．２．第４の実施の形態の情報記録装置の利点＞
以上のように、第４の実施の形態の情報記録装置３００は、第２偏向面３２１ｅと対向する位置に取付角検出部３８０の配置場所を容易に確保できる。そのため、第１光学素子３２１の取付状態の判定が、良好に実行できる。
【０１９７】
また、第４の実施の形態の情報記録装置３００は、第２偏向面３２１ｅに照射される光３８５と、第２偏向面３２１ｅで偏向される光３８６と、が略同軸となるか否かという簡便な判断手法によって、第１光学素子３２１の取付状態の判定を実行している。そのため、取付状態の判定に関する計算コストをさらに低減させることができる。
【０１９８】
＜５．第５の実施の形態＞
次に、本発明の第５の実施の形態について説明する。第５の実施の形態の情報記録装置４００は、第１ないし第５導光ユニット１１〜１５の第１ないし第５光学素子２１〜２５のそれぞれを、後述する第１光学素子４２１に置換した点を除いては、第１の実施の形態の情報記録装置１と同様である。そこで、以下では、この相違点を中心に説明する。
【０１９９】
なお、以下の説明において、第１の実施の形態の情報記録装置１における構成要素と同様な構成要素については同一符号を付している。これら同一符号の構成要素は、第１の実施の形態において説明済みであるため、本実施形態では説明を省略する。
【０２００】
＜５．１．導光ユニットの構成＞
図１３は、第５の実施の形態における第１導光ユニット４１１（光ヘッド）の構成の一例を示す側面図である。図１３に示すように、第１導光ユニット４１１は、主として、第１スライダ部３１と、第１光学素子４２１と、を有している。
【０２０１】
第１光学素子４２１は、第１の実施の形態の第１光学素子２１と同様に、第１光源ＬＳ１から出射された光Ｌｉを第１スライダ部３１側に折り返す。図１３に示すように、第１光学素子４２１は、第１スライダ部３１付近に配置されるとともに、サスペンション部４１ｂの下側他端４６付近に固定されており、主として、回折格子４２１ａと、本体部２１ｂと、反射鏡２１ｄと、を有している。
【０２０２】
ここで、第１光源ＬＳ１から出射される光の波長が１．５５μｍとされている場合、光ファイバＦＢ（上述のように、コア材料としてはＧｅをドープしたＳｉＯ2が、クラッド材料としてはＳｉＯ2が、それぞれ使用される）のモードフィールド径は、１０μｍ程度となる。
【０２０３】
しかし、光ファイバＦＢから出射される光Ｌｉは、所定の広がり角（本実施の形態では、約６（ｄｅｇ））で、光Ｌｉの進行方向と略垂直な方向に広がる。例えば、光ファイバＦＢの先端から出射され、この先端から５００μｍ進行した位置における光Ｌｉのスポット径は、約１００μｍ（＝５００（μｍ）×２ｔａｎ（６（ｄｅｇ）））となる。すなわち、光Ｌｉのスポット径は、光ファイバＦＢのモードフィールド径の約１０倍程度に増大することになる。
【０２０４】
そこで、本実施の形態では、第１スライダ部３１側に配置される第１光学素子４２１の第１偏向面４２１ｃに集光機能を持たせることによって、光Ｌｉのスポット径が増大するという問題を解消している。
【０２０５】
回折格子４２１ａは、図１３に示すように、光アシスト部５１と対向するように設けられるとともに、複数の略鋸歯状の溝を有している。この複数の溝は、本体部２１ｂと同様の材料により形成されている。
【０２０６】
ここで、回折格子４２１ａの周期（格子間隔）は、サスペンション部４１ｂ側から第１記録用ディスク２ａ側に向かって、徐々に小さくなっている。一方、各溝の表面（第１偏向面１２１ｃ）で回折される回折角は、サスペンション部４１ｂ側から第１記録用ディスク２ａ側に向かって、徐々に大きくなる。これにより、上下方向における光Ｌｉのスポット径が絞られる。すなわち、回折格子４２１ａの第１偏向面４２１ｃは、集光機能を有している。
【０２０７】
また、本実施の形態において、回折格子４２１ａとしては、波長変動により変化するカプラ入射角θｃ（図６参照）の変化量を適切に補償できるものが、採用されている。
【０２０８】
そのため、第１光学素子４２１は、光Ｌｉの広がりに起因したスポット径の増大を抑制しつつ、カプラ入射角θｃを波長変動に応じた最適な角度に維持できる。
【０２０９】
なお、回折格子４２１ａの溝形状としては、略鋸歯状だけでなく、略正弦波状であってもよいし、矩形状（グレーティングカプラ６８（図６参照）と同様な形状）であってもよい。また、各溝における反射率を高めるために、各溝の表面には、アルミニウム(Ａｌ)や銀(Ａｇ)などの金属膜、または誘電体多層膜が形成されてもよい。さらに、回折格子４２１ａは、第２の実施の形態の回折格子１２１ａと同様な手法によって作成されてもよい。
【０２１０】
＜５．２．第５の実施の形態の情報記録装置の利点＞
以上のように、第５の実施の形態の情報記録装置４００は、第１の実施の形態の情報記録装置１と同様に、第２偏向面２１ｅと対向する位置に取付角検出部８０の配置場所を容易に確保できる。そのため、第１光学素子４２１の取付状態の判定が、良好に実行できる。
【０２１１】
また、回折格子４２１ａの格子間隔は、サスペンション部４１ｂ側から第１記録用ディスク２ａ側に向かって徐々に小さくなっている。一方、回折格子４２１ａの回折角は、サスペンション部４１ｂ側から第１記録用ディスク２ａ側に向かって徐々に大きくなる。これにより、第１光学素子４２１の開口数を増大させることができ、グレーティングカプラ６８に導入される単位面積当たりの光量を増大させることができる。そのため、第１光学素子４２１は、光Ｌｉの広がりに起因したスポット径の増大を抑制しつつ、カプラ入射角θｃを波長変動に応じた最適な角度に維持できる。
【０２１２】
＜６．第６の実施の形態＞
次に、本発明の第６の実施の形態について説明する。第６の実施の形態の情報記録装置５００は、第１光学素子のハードウェア構成が相違する点を除いては、第５の実施の形態の情報記録装置４００と同様である。そこで、以下では、この相違点を中心に説明する。
【０２１３】
なお、以下の説明において、第５の実施の形態の情報記録装置４００における構成要素と同様な構成要素については同一符号を付している。これら同一符号の構成要素は、第５の実施の形態において説明済みであるため、本実施形態では説明を省略する。
【０２１４】
＜６．１．導光ユニットの構成＞
図１４は、第６の実施の形態における第１導光ユニット５１１（光ヘッド）の構成の一例を示す側面図である。図１４に示すように、第１導光ユニット５１１は、主として、第１スライダ部３１と、第１光学素子５２１と、を有している。
【０２１５】
第１光学素子５２１は、第５の実施の形態の第１光学素子４２１と同様に、第１光源ＬＳ１から出射された光Ｌｉを第１スライダ部３１側に折り返す。図１４に示すように、第１光学素子５２１は、第１スライダ部３１付近に配置されるとともに、サスペンション部４１ｂの下側他端４６付近に固定されており、主として、反射鏡５２１ａと、本体部５２１ｂと、反射鏡２１ｄと、を有している。
【０２１６】
本体部５２１ｂは、図１４に示すように、その上面および下面が略平行とさ、反射鏡５２１ａ側の側面が曲面状とされ、かつ、反射鏡２１ｄ側の側面が略平面状とされたブロック体である。
【０２１７】
ここで、第１光学素子５２１は、空気と接する第１および第２偏向面５２１ａ、２１ｅで光Ｌｉ、８５を偏向させている。そのため、第１光学素子５２１の本体部５２１ｂは、良好な反射性を有する金属によって、形成されても良い。
【０２１８】
反射鏡５２１ａは、図１４に示すように、光アシスト部５１と対向するように設けられる曲面鏡である。図１４に示すように、反射鏡５２１ａは、第１偏向面５２１ｃ（ハッチング部分）を有している。ここで、反射鏡５２１ａとしては、例えば、球面鏡や放物面鏡が採用できる。
【０２１９】
第１偏向面５２１ｃは、本体部５２１ｂの側面のうち、第１スライダ部３１と対向する面に設けられた鏡面である。図１４に示すように、第１偏向面５２１ｃは、側面視略曲線状であり、本体部５２１ｂの上下から中心に向かって凹む略凹曲面として形成されている。これにより、上下方向における光Ｌｉのスポット径が絞られる。すなわち、反射鏡５２１ａの第１偏向面５２１ｃは、略凹曲面という簡便な構成によって、集光機能を実現している。そのため、第１光学素子５２１は、光Ｌｉの広がりに起因したスポット径の増大を抑制することができる。
【０２２０】
＜６．２．第６の実施の形態の情報記録装置の利点＞
以上のように、第６の実施の形態の情報記録装置５００は、第５の実施の形態の情報記録装置４００と同様に、第２偏向面２１ｅと対向する位置に取付角検出部８０の配置場所を容易に確保できる。そのため、第１光学素子５２１の取付状態の判定が、良好に実行できる。
【０２２１】
また、反射鏡５２１ａの第１偏向面５２１ｃは、曲面状の鏡面とされており、本体部５２１ｂの上下から中心に向かって凹むように形成されている。これにより、光源８１（図４参照）から照射される光のスポット径は、上下方向に絞られる。すなわち、第１光学素子５２１の開口数を増大させることができ、グレーティングカプラ６８に導入される単位面積当たりの光量を増大させることができる。そのため、第１光学素子５２１は、光源８１から照射される光の広がりに起因し、スポット径が増大することを抑制できる。
【０２２２】
＜７．第７の実施の形態＞
次に、本発明の第７の実施の形態について説明する。第７の実施の形態の情報記録装置６００は、第１ないし第５導光ユニット１１〜１５の第１ないし第５光学素子２１〜２５のそれぞれを、後述する第１光学素子６２１に置換した点を除いては、第１の実施の形態の情報記録装置１と同様である。そこで、以下では、この相違点を中心に説明する。
【０２２３】
なお、以下の説明において、第１の実施の形態の情報記録装置１における構成要素と同様な構成要素については同一符号を付している。これら同一符号の構成要素は、第１の実施の形態において説明済みであるため、本実施形態では説明を省略する。
【０２２４】
＜７．１．導光ユニットの構成＞
図１５は、第７の実施の形態における第１導光ユニット６１１（光ヘッド）の構成の一例を示す側面図である。図１５に示すように、第１導光ユニット６１１は、主として、第１スライダ部３１と、第１光学素子６２１と、を有している。
【０２２５】
第１光学素子６２１は、第１の実施の形態の第１光学素子２１と同様に、第１光源ＬＳ１から出射された光Ｌｉを第１スライダ部３１側に折り返す。図１５に示すように、第１光学素子６２１は、第１スライダ部３１付近に配置されるとともに、サスペンション部４１ｂの下側他端４６付近に固定されており、主として、反射鏡２１ａと、本体部２１ｂと、回折格子６２１ｄと、を有している。
【０２２６】
回折格子６２１ｄは、図１５に示すように、第１スライダ部３１から見て反射鏡２１ａより遠方側に設けられるとともに、複数の略鋸歯状の溝を有している。この複数の溝は、本体部２１ｂと同様の材料により形成されている。
【０２２７】
ここで、回折格子６２１ｄの周期（格子間隔）は、サスペンション部４１ｂ側から第１記録用ディスク２ａ側に向かって、徐々に小さくなっている。また、各溝の表面（第２偏向面６２１ｅ）で回折される回折角は、サスペンション部４１ｂ側から第１記録用ディスク２ａ側に向かって、徐々に大きくなる。これにより、上下方向における光８６（図４および図８参照）のスポット径が絞られる。すなわち、回折格子６２１ｄの第２偏向面６２１ｅは、集光機能を有している。
【０２２８】
そのため、第１光学素子６２１は、光源８１から照射される光の広がりに起因し、スポット径が増大することを抑制できる。
【０２２９】
なお、回折格子６２１ｄの溝形状としては、略鋸歯状だけでなく、略正弦波状であってもよいし、矩形状（グレーティングカプラ６８（図６参照）と同様な形状）であってもよい。また、各溝における反射率を高めるために、各溝の表面には、アルミニウム(Ａｌ)や銀(Ａｇ)などの金属膜、または誘電体多層膜が形成されてもよい。さらに、回折格子６２１ｄは、第２の実施の形態の回折格子１２１ａと同様な手法によって作成されてもよい。
【０２３０】
＜７．２．第７の実施の形態の情報記録装置の利点＞
以上のように、第７の実施の形態の情報記録装置６００は、第１の実施の形態の情報記録装置１と同様に、第２偏向面２１ｅと対向する位置に取付角検出部８０の配置場所を容易に確保できる。そのため、第１光学素子６２１の取付状態の判定が、良好に実行できる。
【０２３１】
また、回折格子６２１ｄの格子間隔は、サスペンション部４１ｂ側から第１記録用ディスク２ａ側に向かって徐々に小さくなっている。これにより、回折格子６２１ｄの回折角は、サスペンション部４１ｂ側から第１記録用ディスク２ａ側に向かって徐々に大きくなる。そのため、第１光学素子６２１は、取付角検出部８０の光検出部８２に導入される単位面積当たりの光量を増大させることができ、光の広がりに起因したスポット径の増大を抑制することができる。
【０２３２】
＜８．第８の実施の形態＞
次に、本発明の第８の実施の形態について説明する。第８の実施の形態の情報記録装置７００は、第１ないし第５導光ユニット１１〜１５の第１ないし第５光学素子２１〜２５のそれぞれを、後述する第１光学素子７２１に置換した点を除いては、第１の実施の形態の情報記録装置１と同様である。そこで、以下では、この相違点を中心に説明する。
【０２３３】
なお、以下の説明において、第１の実施の形態の情報記録装置１における構成要素と同様な構成要素については同一符号を付している。これら同一符号の構成要素は、第１の実施の形態において説明済みであるため、本実施形態では説明を省略する。
【０２３４】
＜８．１．導光ユニットの構成＞
図１６は、第８の実施の形態における第１導光ユニット７１１（光ヘッド）の構成の一例を示す側面図である。図１６に示すように、第１導光ユニット７１１は、主として、第１スライダ部３１と、第１光学素子７２１と、を有している。
【０２３５】
第１光学素子７２１は、第１の実施の形態の第１光学素子２１と同様に、第１光源ＬＳ１から出射された光Ｌｉを第１スライダ部３１側に折り返す。図１６に示すように、第１光学素子７２１は、第１スライダ部３１付近に配置されるとともに、サスペンション部４１ｂの下側他端４６付近に固定されており、主として、反射鏡２１ａと、本体部７２１ｂと、反射鏡７２１ｄと、を有している。
【０２３６】
本体部７２１ｂは、図１６に示すように、その上面および下面が略平行とされ、反射鏡２１ａ側の側面が略平面状とされ、かつ、反射鏡７２１ｄ側の側面が曲面状とされたブロック体である。
【０２３７】
ここで、第１光学素子７２１は、空気と接する第１および第２偏向面２１ａ、７２１ｅで光Ｌｉ、８５を偏向させている。そのため、第１光学素子７２１の本体部７２１ｂは、良好な反射性を有する金属によって、形成されても良い。
【０２３８】
反射鏡７２１ｄは、図１６に示すように、第１スライダ部３１から見て、反射鏡２１ａより遠方側に設けられる曲面鏡である。図１６に示すように、反射鏡７２１ｄは、第２偏向面７２１ｅ（ハッチング部分）を有している。ここで、反射鏡７２１ｄとしては、第６の実施の形態の反射鏡５２１ａと同様に、例えば、球面鏡や放物面鏡が採用できる。
【０２３９】
第２偏向面７２１ｅは、本体部７２１ｂの側面のうち、第１スライダ部３１から見て最も遠方側の側面に設けられた鏡面である。図１６に示すように、第２偏向面７２１ｅは、側面視略曲線状であり、本体部７２１ｂの上下から中心に向かって凹む略凹曲面として形成されている。これにより、上下方向における光Ｌｉのスポット径が絞られる。すなわち、反射鏡７２１ｄの第２偏向面７２１ｅは、略凹曲面という簡便な構成によって、集光機能を実現している。そのため、第１光学素子７２１は、光源８１（図４参照）から照射される光の広がりに起因し、スポット径が増大することを抑制できる。
【０２４０】
＜８．２．第８の実施の形態の情報記録装置の利点＞
以上のように、第８の実施の形態の情報記録装置７００は、第１の実施の形態の情報記録装置１と同様に、第２偏向面７２１ｅと対向する位置に取付角検出部８０の配置場所を容易に確保できる。そのため、第１光学素子７２１の取付状態の判定が、良好に実行できる。
【０２４１】
また、反射鏡７２１ｄの第２偏向面７２１ｅは、曲面状の鏡面とされており、本体部７２１ｂの上下から中心に向かって凹むように形成されている。これにより、光源８１（図４参照）から照射される光のスポット径は、上下方向に絞られる。そのため、第１光学素子７２１は、取付角検出部８０の光検出部８２に導入される単位面積当たりの光量を増大させることができ、光源８１から照射される光の広がりに起因し、スポット径が増大することを抑制できる。
【０２４２】
＜９．第９の実施の形態＞
次に、本発明の第９の実施の形態について説明する。第９の実施の形態の情報記録装置８００は、第１ないし第５導光ユニット１１〜１５の第１ないし第５光学素子２１〜２５のそれぞれを、後述する第１光学素子８２１に置換した点を除いては、第１の実施の形態の情報記録装置１と同様である。そこで、以下では、この相違点を中心に説明する。
【０２４３】
なお、以下の説明において、第１の実施の形態の情報記録装置１における構成要素と同様な構成要素については同一符号を付している。これら同一符号の構成要素は、第１の実施の形態において説明済みであるため、本実施形態では説明を省略する。
【０２４４】
＜９．１．導光ユニットの構成＞
図１７は、第９の実施の形態における第１導光ユニット８１１（光ヘッド）の構成の一例を示す側面図である。図１７に示すように、第１導光ユニット８１１は、主として、第１スライダ部３１と、第１光学素子８２１と、を有している。
【０２４５】
第１光学素子８２１は、第１の実施の形態の第１光学素子２１と同様に、第１光源ＬＳ１から出射された光Ｌｉを第１スライダ部３１側に折り返す。図１７に示すように、第１光学素子８２１は、第１スライダ部３１付近に配置されるとともに、サスペンション部４１ｂの下側他端４６付近に固定されており、主として、回折格子８２１ａと、本体部８２１ｂと、反射鏡８２１ｄと、を有している。
【０２４６】
本体部８２１ｂは、図１７に示すように、その上面および下面が略平行とされた側面視略台形状のプリズムであり、第１光源ＬＳ１から出射された光Ｌｉを透過させる。
【０２４７】
透過型の回折格子８２１ａは、図１７に示すように、光アシスト部５１と対向するように設けられるとともに、複数の略鋸歯状の溝を有している。この複数の溝は、本体部８２１ｂと同様の材料により形成されている。
【０２４８】
これにより、各溝の表面は、本体部８２１ｂに導入され、本体部８２１ｂおよび反射鏡８２１ｄの界面８２１ｃで反射された光Ｌｉを、第１スライダ部３１側に回折させる。このように、界面８２１ｃは、光Ｌｉを内面反射（偏向）させる第１偏向面８２１ｃとして使用される。
【０２４９】
ここで、第１光学素子８２１のように内面反射が用いられる場合には、本体部８２１ｂの材料としては、光を透過する光学材料（例えば、熱可塑性樹脂または光学ガラス等）が望ましい。
【０２５０】
より具体的には、本体部８２１ｂの材料として使用できる熱可塑性樹脂としては、例えば、（１）ＺＥＯＮＥＸ（登録商標）４８０Ｒ（屈折率１．５２５：日本ゼオン（株））、（２）ＰＭＭＡ（ポリメチルメタクリレート）（例えば、スミペックス（登録商標）ＭＧＳＳ（屈折率１．４９：住友化学（株）））、または（３）ＰＣ（ポリカーボネート）（例えば、パンライト（登録商標）ＡＤ５５０３（屈折率１．５８５：帝人化成（株）））等が挙げられる。
【０２５１】
また、熱可塑性樹脂が本体部８２１ｂの材料として使用される場合、本体部８２１ｂは、例えば、射出成形法やプレス成形法により形成されても良い。一方、光学ガラスが本体部８２１ｂの材料として使用される場合、本体部８２１ｂは、例えばプレス成形法により形成されても良い。
【０２５２】
また、回折格子８２１ａの周期が適切な値とされると、回折格子８２１ａは、波長変動により変化するカプラ入射角θｃ（図６参照）の変化量を適切に補償することができる。すなわち、第１光学素子８２１は、第１光源ＬＳ１から出射される光Ｌｉの出射角度が固定されているにも関わらず、カプラ入射角θｃ（図６参照）を波長変動に応じた最適な角度に維持できる。
【０２５３】
さらに、回折格子８２１ａの溝形状としては、略鋸歯状だけでなく、略正弦波状であってもよいし、矩形状（グレーティングカプラ６８（図６参照）と同様な形状）であってもよい。
【０２５４】
反射鏡８２１ｄは、第１スライダ部３１から見て、回折格子８２１ａより遠方側に設けられる平面鏡である。図１７に示すように、反射鏡８２１ｄは、略平面状の第２偏向面８２１ｅ（ハッチング部分）を有している。
【０２５５】
第２偏向面８２１ｅは、アルミニウム(Ａｌ)や銀(Ａｇ)などの金属膜、または、誘電体多層膜により形成された鏡面である。図１７に示すように、第１光学素子８２１が第１スライダ部３１付近に配置される場合、第２偏向面８２１ｅは、第１偏向面８２１ｃを挟んで第１スライダ部３１と逆側に設けられることになる。したがって、第２偏向面８２１ｅは、第１光学素子８２１の取付状態の調整時において取付角検出部８０から照射される光を偏向させることができる。
【０２５６】
なお、光Ｌｉの進行方向、および本体部８２１ｂの屈折率のため、本体部８２１ｂに導入された光Ｌｉが界面８２１ｃで全反射する場合、光Ｌｉは、反射鏡８２１ｄの存在の有無にかかわらず、第１スライダ部３１側に折り返されることになる。すなわち、光Ｌｉが界面８２１ｃで全反射する場合、反射鏡８２１ｄは不要となる。
【０２５７】
＜９．２．第９の実施の形態の情報記録装置の利点＞
以上のように、第９の実施の形態の情報記録装置８００は、第２偏向面８２１ｅと対向する位置に取付角検出部８０の配置場所を容易に確保できる。そのため、第１光学素子８２１の取付状態の判定が、良好に実行できる。
【０２５８】
また、第９の実施の形態の情報記録装置８００において、回折格子８２１ａを透過する光Ｌｉの波長が変動すると、その波長変動に応じ、回折格子８２１ａで偏向（回折）される光の偏向方向が調整される。そのため、第１光源ＬＳ１から出射される光Ｌｉの出射角度が固定されているにも関わらず、カプラ入射角θｃ（図６参照）を波長変動に応じた最適な角度に維持できる。
【０２５９】
＜１０．第１０の実施の形態＞
次に、本発明の第１０の実施の形態について説明する。第１０の実施の形態の情報記録装置９００は、第１ないし第５導光ユニット１１〜１５の第１ないし第５光学素子２１〜２５のそれぞれを、後述する第１光学素子９２１に置換した点を除いては、第１の実施の形態の情報記録装置１と同様である。そこで、以下では、この相違点を中心に説明する。
【０２６０】
なお、以下の説明において、第１の実施の形態の情報記録装置１における構成要素と同様な構成要素については同一符号を付している。これら同一符号の構成要素は、第１の実施の形態において説明済みであるため、本実施形態では説明を省略する。
【０２６１】
＜１０．１．光学素子の構成＞
図１８は、第１０の実施の形態における第１光学素子９２１の構成の一例を示す側面図である。第１光学素子９２１は、第１の実施の形態の第１光学素子２１と同様に、第１光源ＬＳ１から出射された光Ｌｉを第１スライダ部３１側に折り返す。図１８に示すように、第１光学素子９２１は、主として、反射鏡２１ａと、本体部２１ｂと、回折格子９２１ｄと、を有している。
【０２６２】
回折格子９２１ｄは、第１スライダ部３１から見て反射鏡２１ａより遠方側に設けられるとともに、複数の略鋸歯状の溝を有している。この複数の溝は、本体部２１ｂと同様の材料により形成されている。
【０２６３】
なお、回折格子９２１ｄの溝形状としては、略鋸歯状だけでなく、略正弦波状であってもよいし、矩形状（グレーティングカプラ６８（図６参照）と同様な形状）であってもよい。また、各溝における反射率を高めるために、各溝の表面（第２偏向面９２１ｅ）には、アルミニウム(Ａｌ)や銀(Ａｇ)などの金属膜、または誘電体多層膜が形成されてもよい。さらに、回折格子９２１ｄは、第２の実施の形態の回折格子１２１ａと同様な手法によって作成されてもよい。
【０２６４】
取付角検出部９８０は、第１光学素子９２１の固定に際し、第２偏向面９２１ｅで偏向された光９８６ａ、９８６ｂの検出結果に基づいて、第１光学素子９２１の取付状態を判定する。図１８に示すように、取付角検出部９８０は、主として、光源９８１と、光検出部９８２ａ、９８２ｂと、比較部９８８と、を有している。
【０２６５】
光源９８１は、第２偏向面９２１ｅに向けて光９８５を照射する。光検出部９８２ａは、第２偏向面９２１ｅで回折された＋１次の回折光９８６ａを検出する。光検出部９８２ｂは、第２偏向面９２１ｅで回折された−１次の回折光９８６ｂを検出する。比較部９８８は、光検出部９８２ａ、９８２ｂからの２つの入力信号に基づいて、差分信号を出力する。そして、取付角検出部９８０は、比較部９８８から出力される差分信号の絶対値が最小となる場合に、第１光学素子９２１が正しく取り付けられていると判定する。
【０２６６】
＜１０．２．第１０の実施の形態の情報記録装置の利点＞
以上のように、第１０の実施の形態の情報記録装置９００は、第２偏向面９２１ｅと対向する位置に取付角検出部９８０の配置場所を容易に確保できる。そのため、第１光学素子９２１の取付状態の判定が、良好に実行できる。
【０２６７】
また、第１０の実施の形態の情報記録装置９００は、反射光（０次光）でなく、±１次の回折光９８６ａ、９８６ｂに基づいて、第１光学素子９２１の取付状態の判定を実行している。そのため、反射光を使用した場合と比較して、第１光学素子９２１の取付状態をさらに高精度に測定できる。
【符号の説明】
【０２６８】
１、１００、２００、３００、４００、５００、６００、７００、８００、９００  情報記録装置
１０  アーム機構
２１、１２１、２２１、３２１、４２１、５２１、６２１、７２１、８２１、９２１  第１光学素子
２１ａ、５２１ａ  反射鏡
２１ｃ、１２１ｃ、４２１ｃ、５２１ｃ、８２１ｃ  第１偏向面
２１ｄ、２２１ｄ、３２１ｄ、７２１ｄ、８２１ｄ  反射鏡
２１ｅ、２２１ｅ、３２１ｅ、６２１ｅ、７２１ｅ、８２１ｅ、９２１ｅ  第２偏向面
３１〜３５  第１ないし第５スライダ部
５１  光アシスト部
５２  磁気記録部
５３  磁気再生部
６０  光導波路
６８  グレーティングカプラ
８０、２８０、３８０、９８０  取付角検出部
８１、９８１  光源
８２、９８２ａ、９８２ｂ  光検出部
１２１ａ、４２１ａ、８２１ａ、６２１ｄ、９２１ｄ    回折格子
９８８  比較部
ＦＢ  光ファイバ
【図１】
2011086341.tif 000011
【図２】
2011086341.tif 000012
【図３】
2011086341.tif 000013
【図４】
2011086341.tif 000014
【図５】
2011086341.tif 000015
【図６】
2011086341.tif 000016
【図７】
2011086341.tif 000017
【図８】
2011086341.tif 000018
【図９】
2011086341.tif 000019
【図１０】
2011086341.tif 000020
【図１１】
2011086341.tif 000021
【図１２】
2011086341.tif 000022
【図１３】
2011086341.tif 000023
【図１４】
2011086341.tif 000024
【図１５】
2011086341.tif 000025
【図１６】
2011086341.tif 000026
【図１７】
2011086341.tif 000027
【図１８】
2011086341.tif 000028